(57)【要約】【解決手段】OFDM無線システム中、マルチキャリアスキャニングとハンドオーバー操作の包括的解決が提供される。マルチキャリアスキャニングは、マルチキャリアラジオ周波数キャリアに関係するあらゆるスキャニング操作である。一具体例中、移動局は、プライマリーキャリアにより、サービング基地局と通信し、一つ、或いは、それ以上の確定したキャリアにより、スキャニングを実行する。マルチキャリアハンドオーバーは、マルチラジオ周波数キャリアに関係するあらゆるハンドオーバー操作である。第一具体例中、快速同期化BBE（break-before-entry）ハンドオーバー工程が提供される。第二具体例中、無効の間隔によるEBB（entry-before-break）ハンドオーバー工程が提供される。第三具体例中、マルチラジオ周波数キャリアを用いた、インターFAハンドオーバーとイントラFAのEBBハンドオーバー工程が提供される。最後に、第四具体例中、イントラBSハンドオーバー工程が提供される。マルチキャリアハンドオーバー工程は、2-2、或いは、N-Nキャリアハンドオーバー状況に応用される。提供される工程により、総スキャニング時間とハンドオーバー中断時間が減少する。【選択図】図６
2011524133.tif 000002
【特許請求の範囲】
【請求項１】
マルチキャリア無線通信システム中、隣接する基地局をスキャンする移動局の操作方法であって、
（a）スキャニングに用いられる一つ、或いは、それ以上のラジオ周波数キャリアを決定するステップと、
（b）前記の決定された一つ、或いは、それ以上のラジオ周波数キャリアにより、スキャンを実行するステップと、
からなることを特徴とする方法。
【請求項２】
前記移動局は、プライマリーラジオ周波数キャリアにより、サービング基地局と通信することを特徴とする請求項１に記載の方法。
【請求項３】
前記移動局は、どの基地局にもサービスされないことを特徴とする請求項１に記載の方法。
【請求項４】
前記一つ、或いは、それ以上の決定されたラジオ周波数キャリアは、前記プライマリーラジオ周波数キャリアからなり、前記移動局は、セカンダリーラジオ周波数キャリア上で、前記サービング基地局とのデータ通信を維持することを特徴とする請求項２に記載の方法。
【請求項５】
前記一つ、或いは、それ以上の決定されたラジオ周波数キャリアは、セカンダリーラジオ周波数キャリアからなり、前記移動局は、前記プライマリーラジオ周波数キャリア上で、前記サービング基地局とのデータ通信を維持することを特徴とする請求項２に記載の方法。
【請求項６】
前記一つ、或いは、それ以上の決定されたラジオ周波数キャリアは、前記プライマリーラジオ周波数キャリア、及び、一つ、或いは、それ以上のセカンダリーラジオ周波数キャリアからなることを特徴とする請求項２に記載の方法。
【請求項７】
前記スキャニングは、隣接する基地局、或いは、前記サービング基地局の別のラジオ周波数キャリアの測定を含むことを特徴とする請求項１に記載の方法。
【請求項８】
前記測定は、無線信号強度（radio signal strength RSS)、搬送波対干渉波雑音比（carrier-to-interference noise ratio、CINR)、及び、ラウンドトリップ遅延（round trip delay、RTD)の測定を含むことを特徴とする請求項７に記載の方法。
【請求項９】
前記スキャニングは、隣接する基地局、或いは、前記サービング基地局の全面に配置されたラジオ周波数キャリアの測定を含むことを特徴とする請求項１に記載の方法。
【請求項１０】
マルチキャリア無線通信システム中、サービング基地局からターゲット基地局にハンドオーバーする移動局の操作方法であって、
（a）元のプライマリーラジオ周波数キャリアにより、前記サービング基地局から、ハンドオーバー命令を受信するステップと、
（b）セカンダリーキャリアを用いて、前記ターゲット基地局と、同期化工程を実行するステップと、
（c）前記同期化工程後、前記サービング基地局から、全キャリア上で、全接続を切断するステップと、
（d）ネットワーク再エントリーを実行し、これにより、新しいプライマリーキャリアにより、前記ターゲット基地局と、データ経路を構築するステップと、
からなることを特徴とする方法。
【請求項１１】
前記ステップ（d）の前記ネットワーク再エントリーは、前記セカンダリーキャリアを用いて実行され、前記セカンダリーキャリアは、前記新しいプライマリーキャリアになることを特徴とする請求項１０に記載の方法。
【請求項１２】
前記同期化工程は、
ダウンリンク物理層同期化を実行するステップと、
ネットワーク再エントリー関連パラメータを得るステップと、
ダウンリンク、或いは、アップリンク電力/タイミング/周波数調整の測距を実行するステップと、
からなることを特徴とする請求項１０に記載の方法。
【請求項１３】
前記ステップ（d）の前記ネットワーク再エントリーは、前記元のプライマリーキャリアを用いて実行され、前記セカンダリーキャリアの前記ダウンリンク、或いは、アップリンク調整は、前記ネットワーク再エントリーの前記元のプライマリーキャリアにより再利用され、前記元のプライマリーキャリアは、前記新しいプライマリーキャリアになることを特徴とする請求項１２に記載の方法。
【請求項１４】
マルチキャリア無線通信システム中、サービング基地局からターゲット基地局にハンドオーバーする移動局の操作方法であって、
（a）プライマリーキャリア、及び、一つ、或いは、それ以上のセカンダリーキャリアにより、前記サービング基地局と通信するステップと、
（b）前記プライマリーキャリアにより、前記サービング基地局から、ハンドオーバー命令を受信し、前記ハンドオーバー命令は、前記ターゲット基地局キャリア指定と配置情報を含むステップと、
（c）前記サービング基地局から、全接続を切断後、ターゲットプライマリーキャリア上で、前記ターゲット基地局と測距を実行するステップと、
（d）前記ターゲットプライマリーキャリア上で、ネットワーク再エントリーを実行し、これにより、前記ターゲットプライマリーキャリア、及び、一つ、或いは、それ以上のターゲットセカンダリーキャリア上で、同時に、接続を構築するステップと、
からなることを特徴とする請求項に記載の方法。
【請求項１５】
更に、
前記一つ、或いは、それ以上のターゲットセカンダリーキャリア上で、前記ターゲット基地局と測距を実行するステップを含むことを特徴とする請求項１４に記載の方法。
【請求項１６】
マルチキャリア無線通信システム中、サービング基地局からターゲット基地局にハンドオーバーする移動局の操作方法であって、
（a）プライマリーキャリアにより、前記サービング基地局からハンドオーバー命令を受信するステップと、
（b）前記プライマリーキャリア上で、前記サービング基地局との通信が維持される間、セカンダリーキャリアを用いて、前記ターゲット基地局と、測距、及び、ネットワーク再エントリーを実行するステップと、
（c）前記ターゲット基地局と、新しいプライマリーキャリアデータ経路を構築し、前記セカンダリーキャリアは、前記新しいプライマリーキャリアとなるステップと、
（d）ネットワーク再エントリー完成後、前記サービング基地局から、前記キャリア上の全接続を切断するステップと、
からなることを特徴とする方法。
【請求項１７】
前記ハンドオーバー命令は、前記ターゲット基地局キャリア指定と配置情報を含み、前記ステップ（b）の前記測距と前記ネットワーク再エントリーは、ターゲットプライマリーキャリア上で実行され、前記新しいプライマリーキャリアデータ経路が前記ターゲットプライマリーキャリアに構築され、第二データ経路はターゲットセカンダリーキャリアに構築されることを特徴とする請求項１６に記載の方法。
【請求項１８】
更に、
前記ターゲットセカンダリーキャリア上で、前記ターゲット基地局と測距を実行するステップを含むことを特徴とする請求項１７に記載の方法。
【請求項１９】
マルチキャリア無線通信システム中、サービング基地局からターゲット基地局にハンドオーバーする移動局の操作方法であって、
（a）プライマリーキャリアにより、前記サービング基地局から、ハンドオーバー命令を受信するステップと、
（b）前記プライマリーキャリアを別のキャリアに切り換えるステップと、
（c）前記セカンダリーキャリアにより、前記サービング基地局との通信が維持される間、前記プライマリーキャリアを用いて、前記ターゲット基地局と、測距、及び、ネットワーク再エントリーを実行するステップと、
（d）前記ターゲット基地局と、新しいプライマリーキャリアデータ経路を構築し、前記プライマリーキャリアは、前記新しいプライマリーキャリアとして残るステップと、
（e）ネットワーク再エントリーが完成後、前記サービング基地局から、全キャリア上の全接続を切断するステップと、
からなることを特徴とする方法。
【請求項２０】
前記ハンドオーバー命令は、前記ターゲット基地局キャリア指定と配置情報を含み、前記ステップ（b）の前記測距と前記ネットワーク再エントリーは、ターゲットプライマリーキャリア上で実行され、前記新しいプライマリーキャリアデータ経路が、前記ターゲットプライマリーキャリアに構築され、第二データ経路は、ターゲットセカンダリーキャリアに構築されることを特徴とする請求項１９に記載の方法。
【請求項２１】
更に、
前記ターゲットセカンダリーキャリア上で、前記ターゲット基地局と測距を実行するステップを含むことを特徴とする請求項２０に記載の方法。
【請求項２２】
マルチキャリア無線通信システム中、サービング基地局からターゲット基地局にハンドオーバーする移動局の操作方法であって、
（a）無効の間隔のハンドオーバー要求を、前記サービング基地局に伝送するステップと、
（b）前記要求された無効の間隔で、前記ターゲット基地局と、ネットワーク再エントリーを実行するステップと、
（c）前記ターゲット基地局と、新しいプライマリーキャリアデータ経路を構築するステップと、
（d）前記新しい接続が構築されるまで、前記サービング基地局との通信を維持するステップと、
からなることを特徴とする方法。
【請求項２３】
前記ハンドオーバー準備段階で、前記無効の間隔の期間は、前記サービング基地局と協議されることを特徴とする請求項２２に記載の方法。
【請求項２４】
前記ネットワーク再エントリーは、セカンダリーキャリアを用いて実行され、前記セカンダリーキャリアは、前記新しいプライマリーキャリアになることを特徴とする請求項２２に記載の方法。
【請求項２５】
前記ネットワーク再エントリーは、前記プライマリーキャリアを用いて実行され、前記プライマリーキャリアは、前記新しいプライマリーキャリアとして残ることを特徴とする請求項２２に記載の方法。
【請求項２６】
マルチキャリア無線通信システム中、サービング基地局内で、一キャリアから別のキャリアにハンドオーバーする移動局の操作方法であって、本方法は、
（a）元のプライマリーキャリアにより、前記サービング基地局と通信するステップと、
（b）前記サービング基地局から、イントラ-BSハンドオーバー命令を受信するステップと、
（c）セカンダリーキャリアにより、新しいプライマリーキャリアデータ経路を構築するステップと、
からなることを特徴とする方法。
【請求項２７】
前記セカンダリーキャリアを用いて、測距を実行後、前記新しいプライマリーキャリアが構築されることを特徴とする請求項２６に記載の方法。
【請求項２８】
前記ハンドオーバー工程前に、前記セカンダリーキャリアが存在し、前記新しいプライマリーキャリアは、測距を実行せずに、前記セカンダリーキャリアを用いて構築されることを特徴とする請求項２６に記載の方法。
【請求項２９】
前記新しいプライマリーキャリアが構築された後、前記元のプライマリーキャリアは、切断されるか、或いは、再配置されることを特徴とする請求項２６に記載の方法。
【発明の詳細な説明】
【技術分野】
【０００１】
この出願は、２００８年６月１１日付の出願の「マルチキャリアOFDMAシステムのためのスキャニング及びハードハンドオーバーデザイン」と題された米国仮出願番号６１／０６０，５６３と、２００８年７月７日付の出願の「マルチバンドOFDMAシステムのためのソフトハンドオーバーデザイン」と題された米国仮出願番号６１／０７８，５５９から合衆国法典第３５編第１１９条に従って優先権を主張し、その内容は参照により本明細書に組み込まれる。
【０００２】
本発明は、無線ネットワーク通信に関するものであって、特に、マルチキャリア無線通信システム中のスキャニングとハンドオーバーに関するものである。
【背景技術】
【０００３】
現在の無線通信システム中、通常、5MHz〜20MHzの無線帯域幅が用いられ、100Mbpsのピーク伝送速度に到達する。次世代の無線システム中、更に高いピーク伝送速度が必要とされる。例えば、ITU-Rは、IMT-先進システム、例えば、第四世代(“4G”)移動通信システムに、1Gbpsのピーク伝送速度を必要とする。しかし、現在の伝送技術は、100bps/Hzの伝送スペクトル効果を実現するのが困難である。この数年で、最大で、15bps/Hzの伝送スペクトル効果が予測される。これにより、次世代の無線通信システムには、更に広い無線帯域幅(即ち、少なくとも40MHz)で、1Gbpsのピーク伝送速度を達成する必要がある。
【０００４】
直交周波数分割多重（Orthogonal Frequency Division Multiplexing、OFDM)は、周波数選択的チャネル中で、高伝送速度を実現する効果的な多重化プロトコルで、且つ、内部キャリア干渉による外乱がない。OFDMシステム中で、更に広い無線帯域幅を実現する二種の構造がある。公知のOFDMシステム中、単一のラジオ周波数(RF)キャリアが用いられて、一広帯域無線信号を運び、OFDMマルチキャリアシステム中、マルチRFキャリアは、複数の狭帯域無線信号を運ぶのに用いられる。マルチキャリア操作は、キャリアアグリゲーション（carrier aggregation）として知られる。OFDMマルチキャリアシステムは、公知のOFDMシステムと比較して、様々な長所があり、例えば、低ピーク対平均電力比、容易な下位互換性（backward compatibility）、そして、更なるフレキシブル性である。よって、OFDMマルチキャリア無線システムは、IEEE 802.16mとLTE-先進ドラフト標準中、システム要求を満たす基本システム機構となっている。
【０００５】
スキャニングとハンドオーバーは、無線通信システム中の重要操作である。図1(公知技術)は、単一キャリア無線システム中、正常なスキャニング工程のメッセージシーケンス図である。スキャニング工程の開始前、移動局(MS)は、サービング基地局BS#1から、隣接する基地局(BS#2とBS#3)のパラメータを受信する。その後、MSは、スキャニング要求をBS#1に伝送し、BS#1から、スキャニング応答を受信する。その後、MSは、所定のスキャニング期間で、隣接するBSをスキャンする。MSは、選択的に、隣接するBSと初期測距を実行してもよい。スキャニング操作中、データ通信は、交互的スキャニング間隔のために、中断する。自発性スキャニング工程で、MSは、サービングBSとデータを通信しなくても、スキャニングを実行する。
【０００６】
図2(公知技術)は、単一キャリア無線システム中、正常なハンドオーバー工程のメッセージシーケンス図である。BS-初期化、或いは、MS-初期化ハンドオーバー操作中、MSがハンドオーバー指示メッセージを伝送後、存在するデータ経路がサービング基地局(S-BS)から切断され、MSが、ターゲット基地局(T-BS)と、ネットワーク再エントリーを実行する間、データ通信は、T-BSと新しいデータ経路を構築するまで、中断されたままである。シームレスハンドオーバー工程中、T-BSが、S-BSと、時間ドメインと周波数ドメイン両方で、完全に同期化される場合、その後、MSは、ダウンリンク同期化と初期測距なしで、直ちに、データ伝送を開始する。
【発明の概要】
【発明が解決しようとする課題】
【０００７】
OFDMマルチキャリア無線システム中、マルチキャリアスキャニングとハンドオーバー操作を手助けする包括的解決を有して、スキャニングとハンドオーバーにより生じるデータ中断を減少させることが望ましい。
【課題を解決するための手段】
【０００８】
OFDM無線システム中、マルチキャリアスキャニングとハンドオーバー操作の包括的解決が提供される。一般的な設計コンセプトとして、一ラジオ周波数キャリアがプライマリーキャリアとして構築されて、移動局とそのサービング基地局間のメッセージ交換とデータ通信を制御し、別のラジオ周波数キャリアは、移動局とサービング基地局間のセカンダリーキャリアとして構築され、データ通信する。セカンダリーキャリアは、移動局とターゲット基地局間のスキャニング、初期測距、及び、ネットワーク再エントリーにも用いられる。
【０００９】
マルチキャリアスキャニングは、マルチキャリアラジオ周波数キャリアに関係するあらゆるスキャニング操作である。一具体例中、移動局は、プライマリーラジオ周波数キャリアにより、サービング基地局と通信し、一つ、或いは、それ以上の確定したラジオ周波数キャリアにより、スキャニングを実行する。確定したキャリアは、プライマリーキャリア、セカンダリーキャリア、或いは、プライマリーキャリアと一つ、或いは、それ以上のセカンダリーキャリアからなるマルチキャリア、を含む。マルチキャリアを用いて、スキャニング操作が同時に実行され、総スキャニング時間が減少する。
【００１０】
マルチキャリアハンドオーバーは、マルチラジオ周波数キャリアに関係するあらゆるハンドオーバー操作である。第一具体例中、移動局の快速同期化に用いるBBE（break-before-entry）ハンドオーバー工程が提供される。MSは、プライマリーキャリアにより、そのサービングBSから、ハンドオーバー命令を受信し、その後、MSは、セカンダリーキャリアを用いて、ターゲットBSと、DLと選択的UL同期化を実行する。同期化完成後、MSは、サービングBSから、全キャリアを切断し、プライマリーキャリア、或いは、セカンダリーキャリアにより、ターゲットBSと、ネットワーク再エントリーを実行して、ターゲットBSと、新しいデータ経路を構築する。同期化期間で、セカンダリーキャリアを用いて得られた全部、或いは、一部のUL/DLパラメータは、ネットワーク再エントリーに用いられるので、ハンドオーバー中断時間が減少する。マルチキャリアBBEハンドオーバー工程は、2-2、或いは、N-Nキャリアハンドオーバー状況に応用される。
【００１１】
第二具体例中、無効の間隔による移動局のEBB（entry-before-break）ハンドオーバー工程が提供される。ハンドオーバー操作期間中、MSは、無効の間隔を要求し、その後、ターゲットBSと、ネットワーク再エントリーを実行する。ネットワーク再エントリーは、要求された無効の間隔で実行されるので、MSとそのサービングBS間に存在する接続は、MSとターゲットBS間に、新しいプライマリーキャリアが構築されるまで維持される。
【００１２】
第三具体例中、マルチラジオ周波数キャリアを用いた、インターFAハンドオーバーとイントラFAハンドオーバー両方の移動局のEBBハンドオーバー工程が提供される。MSは、プライマリーキャリアにより、そのサービングBSから、ハンドオーバー命令を受信する。その後、MSは、プライマリーキャリア、或いは、セカンダリーキャリアを用いて、ターゲットBSと、ネットワーク再エントリーを実行する。ネットワーク再エントリー完成後、MSは、ターゲットBSと、新しいプライマリーキャリアを構築する。最後に、MSは、サービングBSから、元のプライマリーキャリアを切断する。マルチキャリアEBBハンドオーバー工程は、2-2、或いは、N-Nキャリアハンドオーバー状況に応用される。
【００１３】
第四具体例中、移動局のイントラBSハンドオーバー工程が提供される。イントラBSハンドオーバー要求(任意)と命令メッセージ交換により、MS要求（或いは、サービングBSによりMSに要求される）は、プライマリーキャリアを、同じサービングBS別のキャリアに再配置する。イントラBSハンドオーバー後、プライマリーキャリアは、同じサービングBS内の一キャリア周波数から別のキャリア周波数に切り換わる。
【００１４】
他の実施例と長所が以下で詳細に説明される。本発明の内容は本発明に限定するものではなく、本発明の保護範囲は、特許請求の範囲で指定した内容を基準とする。
【図面の簡単な説明】
【００１５】
添付図面は、同様の符号が同様の要素を指し示しつつ、発明の実施形態を説明している。
【図１】(公知技術)は、単一キャリア無線システム中、正常なスキャニング工程のメッセージシーケンス図である。
【図２】(公知技術)は、単一キャリア無線システム中、正常なハンドオーバー工程のメッセージシーケンス図である。
【図３】一態様によるマルチキャリア無線システム中、ハイレベル設計のスキャニングとハンドオーバー操作を示す図である。
【図４】一態様によるマルチキャリアスキャニング操作の方法のフローチャートである。
【図５】マルチキャリア無線システム中、プライマリーキャリアを用いたスキャニング工程を示す図である。
【図６】マルチキャリア無線システム中、プライマリーキャリアを用いたスキャニング工程のメッセージシーケンスチャートである。
【図７】マルチキャリア無線システム中、セカンダリーキャリアを用いたスキャニング工程を示す図である。
【図８】マルチキャリア無線システム中、セカンダリーキャリアを用いたスキャニング工程のメッセージシーケンスチャートである。
【図９】マルチキャリア無線システム中、マルチキャリアを用いたスキャニング工程を示す図である。
【図１０】マルチキャリア無線システム中、マルチキャリアを用いたスキャニング工程のメッセージシーケンスチャートである。
【図１１】一態様によるマルチキャリアBBEハンドオーバー操作の方法のフローチャートである。
【図１２】セカンダリーキャリアを用いて、快速同期化されるBBEハンドオーバー工程を示す図である。
【図１３Ａ】セカンダリーキャリアを用いて、快速同期化されるマルチキャリアBBEハンドオーバー工程の一具体例のメッセージシーケンスチャートである。
【図１３Ｂ】セカンダリーキャリアを用いて、快速同期化されるマルチキャリアBBEハンドオーバー工程の別の具体例のメッセージシーケンスチャートである。
【図１４】2-2キャリアBBEハンドオーバー工程メッセージシーケンスチャートである。
【図１５】N-NキャリアBBEハンドオーバー工程のメッセージシーケンスチャートである。
【図１６】無効の間隔によるEBBハンドオーバー工程を示す図である。
【図１７Ａ】無効の間隔によるEBBハンドオーバー工程の一例のメッセージシーケンスチャートである。
【図１７Ｂ】無効の間隔によるEBBハンドオーバー工程の別の具体例のメッセージシーケンスチャートである。
【図１８】一態様によるマルチキャリアEBBハンドオーバー操作の方法のフローチャートである。
【図１９】マルチラジオ周波数キャリアを用いたEBBハンドオーバー工程を示す図である。
【図２０Ａ】マルチキャリアインターFA EBB ハンドオーバー工程の一具体例のメッセージシーケンスチャートである。
【図２０Ｂ】マルチキャリアイントラFA EBB ハンドオーバー工程の別の具体例のメッセージシーケンスチャートである。
【図２１】2-2キャリアイントラFA EBB ハンドオーバー工程のメッセージシーケンスチャートである。
【図２２】2-2キャリアインターFA EBB ハンドオーバー工程のメッセージシーケンスチャートである。
【図２３】N-NキャリアイントラFA EBB ハンドオーバー工程のメッセージシーケンスチャートである。
【図２４】N-NキャリアインターFA EBB ハンドオーバー工程のメッセージシーケンスチャートである。
【図２５】マルチキャリア無線システム中、イントラBS ハンドオーバー工程の異なる具体例のメッセージシーケンスチャートである。
【図２６】マルチキャリア無線システム中、イントラBS ハンドオーバー工程の異なる具体例のメッセージシーケンスチャートである。
【図２７】マルチキャリア無線システム中、イントラBS ハンドオーバー工程の異なる具体例のメッセージシーケンスチャートである。
【発明を実施するための形態】
【００１６】
本発明のいくつかの実施形態について詳しく説明する。その例は添付図面で説明される。
【００１７】
図3は、一態様によるマルチキャリア無線通信システム30中、高レベル設計のスキャニングとハンドオーバー操作を示す図である。マルチキャリア無線システム30は、サービング基地局S-BS31、ターゲット基地局T-BS32、及び、移動局MS33からなる。移動局MS33は、二個のラジオ周波数キャリア(キャリア素子とも称される)、RF#1とRF#2をサポートする。図3の例中、一般の設計コンセプトとして、RF#1はプライマリーキャリア(アンカーキャリアとも称される)として構築され、サービング基地局S-BS31とのメッセージ交換とデータ通信を制御し、RF#2はセカンダリーキャリア(非アンカーキャリアとも称される)として用いられ、サービング基地局S-BS31とデータ通信し、また、ターゲット基地局T-BS32とのスキャニング、初期測距、及び、ネットワーク再エントリーにも用いられる。
【００１８】
図4は、一態様によるマルチキャリアスキャニング操作方法のフローチャートである。マルチキャリアスキャニング操作は、マルチラジオ周波数キャリアと関係するあらゆるスキャニング操作である。マルチキャリア無線システム中、マルチキャリアMSは、マルチラジオ周波数(RF)キャリアをサポートし、一RFキャリアをプライマリーキャリアとして、サービングBSとデータ通信する(ステップ41)。正常なスキャニング工程を起動するため、移動局は、スキャニング要求をサービングBSに伝送し(ステップ42)、サービングBSから、スキャニング応答を受信する(ステップ43)。自発性スキャニング工程中、ステップ42と43は不要である。ステップ44中、移動局は、どのラジオ周波数キャリアがスキャニングに用いられるか決定する。決定されたキャリアは、プライマリーキャリア、セカンダリーキャリア、或いは、両方である。最後に、ステップ45中、移動局は、決定された一つ、或いは、それ以上のラジオ周波数キャリアにより、スキャニングを実行する。
【００１９】
図5は、マルチキャリア無線システム50中、プライマリーキャリアを用いたスキャニング工程を示す図である。マルチキャリア無線システム50は、サービング基地局S-BS51、隣接する基地局BS52とBS53、及び、移動局MS54からなる。MS54は、RF#1をプライマリーキャリアとして、RF#2をセカンダリーキャリアとしてサポートする。図5で示されるように、プライマリーキャリアRF#1上で、S-BS51と、通常操作を維持する間、MS54は、隣接するBSをスキャンする。スキャニングは、交互的スキャニング間隔で実行されるので、スキャニング操作により、通常のデータ通信が周期的に中断される。
【００２０】
図6は、マルチキャリア無線システム50中、プライマリーキャリアを用いたスキャニング工程に対応する更に詳細なメッセージシーケンスチャートである。図6中、移動局MS54は、所定のスキャニング間隔のスキャニング要求をサービング基地局S-BS51に伝送することにより、通常スキャニング操作を開始する。S-BS51は、スキャニング応答をMS54に伝送することにより応答し、応答は、スキャニングの所定開始フレーム(M個のフレーム)と持続時間(N個のフレーム)を有する。スキャニング間隔で、MS54は、隣接する基地局BS52のキャリア#1(RF#1)の測定を開始し、その後、MS54のプライマリーキャリアRF#1を用いて、選択的に、BS52のRF#1と、ダウンリンク(DL)同期化工程を実行する。測定目標は、無線信号強度（radio signal strength RSS)、搬送波対干渉波雑音比（carrier-to-interference noise ratio、CINR)、及び、ラウンドトリップ遅延（round trip delay、RTD)である。この他、可能、且つ、必要であれば、スキャニング間隔期間中、MS54は、選択的に、BS52のRF#1と、初期測距工程を実行する。別の隣接する基地局BS53のキャリア#2(RF#2)は、このようなスキャニング操作を繰り返す。付加スキャニングは、通常の操作と交互的な付加スキャニング間隔中に実行される。
【００２１】
単一キャリアスキャニング操作と同様に、上述のマルチキャリアスキャニング操作は、プライマリーキャリアRF#1上だけで実行され、よって、データ通信がRF#1上で中断される。しかし、マルチキャリア移動局MS54は、セカンダリーキャリアRF#2により、サービング基地局S-BS51とのデータ通信を維持することができる。マルチキャリアスキャニングと単一キャリアスキャニング間の別の差異は、隣接する基地局内で、マルチキャリアのスキャニングができることである。一具体例中(即ち、IEEE 802.16mシステム)、隣接する基地局がマルチRFキャリアをサポートする場合、セル再選択期間で、MS54は、隣接するBSの全体に構成されたキャリアをスキャンする。それらは、ネットワーク再エントリーの実行に用いられないので、MS54は、部分的に構成されたキャリアをスキャンする必要がない。
【００２２】
図7は、マルチキャリア無線システム70中、セカンダリーキャリアを用いたスキャニング工程を示す図である。マルチキャリア無線システム70は、サービング基地局S-BS71、隣接する基地局BS72とBS73、及び、移動局MS74からなる。MS74は、RF#1をプライマリーキャリアとして、RF#2をセカンダリーキャリアとしてサポートする。図7で示されるように、プライマリーキャリアRF#1上で、S-BS51と通常操作を維持する間、MS74は、セカンダリーキャリアRF#2を用いて、隣接するBSをスキャンする。スキャニングは、プライマリーキャリアと異なるキャリアを用いて実行されるので、通常のデータ通信は、スキャニング操作により中断されない。
【００２３】
図8は、マルチキャリア無線システム70中、セカンダリーキャリアを用いたスキャニング工程に対応する更に詳細なメッセージシーケンスチャートである。MS74は、プライマリーキャリアRF#1により、S-BS71と通信する。MS74は、更に、セカンダリーキャリアRF#2により、S-BS71と通信する。図8で示されるように、MS74は、まず、S-BS71と、スキャニング要求と応答メッセージを交換し、スキャニング間隔を手配する。スキャニング要求と応答メッセージは、プライマリーキャリア、或いは、セカンダリーキャリア上で交換される。スキャニング間隔で、MS74は、MS74のセカンダリーキャリアRF#2を用いて、隣接する基地局BS72のキャリア(RF#1)の電力レベルの測定を開始し、選択的に、BS72のRF#1とDL同期化を実行する。この他、可能、且つ、必要であれば、スキャニング間隔期間中、MS74は、選択的に、BS72のRF#1と、初期測距工程を実行する。別の隣接する基地局BS53のキャリア#2(RF#2)は、このようなスキャニング操作を繰り返す。マルチキャリアスキャニング操作は、セカンダリーキャリアを用いて実行されるので、サービングBSとの通常のデータ通信を中断することなく、プライマリーキャリア上で、通常操作と平行して実行される。
【００２４】
図9は、マルチキャリア無線システム90中、プライマリーキャリアとセカンダリーキャリアを含むマルチキャリアを用いたスキャニング工程を示す図である。マルチキャリア無線システム90は、隣接する基地局BS91、BS92、BS93、BS94、及び、移動局MS95からなる。MS95は、RF#1をプライマリーキャリアとして、RF#2をセカンダリーキャリアとしてサポートする。図9で示されるように、MS95は、プライマリーキャリアRF#1を用いて、隣接する基地局BS91とBS93をスキャンし、セカンダリーキャリアRF#2を用いて、隣接する基地局BS92とBS94をスキャンする。
【００２５】
図10は、マルチキャリア無線システム90中、プライマリーキャリアとセカンダリーキャリア両方を用いたスキャニング工程に対応する更に詳細なメッセージシーケンスチャートである。図10で示されるように、所定のスキャニング間隔期間、MS95は、プライマリーキャリアRF#1を用いて、測定と、BS91とのDL同期化を開始する。この他、MS95は、セカンダリーキャリアRF#2を用いて、測定と、BS92との同期化を開始する。スキャニング、及び、BS91とBS92の同期化が完了後、MS95は、プライマリーキャリアRF#1とセカンダリーキャリアRF#2を用いて、それぞれ、BS93とBS94のスキャンを開始する。このようなスキャニング操作は、マルチキャリアにより同時に実行され、総スキャニング時間が減少し、快速なセル再選択が達成される。
【００２６】
マルチキャリアスキャニングの一具体例中、スキャニング操作実行時、移動局はサービング基地局に接続されない。このような状況下で、移動局は、マルチキャリアを同時に使用して、スキャニング時間を減少させる。
【００２７】
マルチキャリアスキャニング操作と同様に、マルチキャリアハンドオーバー操作は、マルチラジオ周波数キャリアに関係するあらゆるハンドオーバー操作である。何種類かのマルチキャリアハンドオーバー操作があり、快速同期化のBBE（break-before-entry）ハンドオーバー、無効の間隔によるEBB（entry-before-break）ハンドオーバー、マルチキャリアによるEBBハンドオーバー、イントラBSプライマリーキャリア切り換え、である。各ハンドオーバー操作は以下で詳述される。
【００２８】
図11は、一態様による快速同期化のマルチキャリアBBEハンドオーバー操作の方法のフローチャートである。ステップ111中、マルチキャリア移動局(MS)は、プライマリーキャリアにより、サービングBSから、ハンドオーバー命令を受信する。その後、ステップ112で、MSは、セカンダリーキャリアを用いて、ターゲットBSと、ダウンリンク(DL)と選択的アップリンク(UL)同期化を実行する。同期化終了後、MSは、選択的ハンドオーバー指示をサービングBSに伝送し、サービングBSから全キャリアを切断する(ステップ113)。最後に、MSは、プライマリーキャリア、或いは、セカンダリーキャリアを用いて、ターゲットBSと、ネットワーク再エントリーを実行し、ターゲットBSと新しいデータ経路を構築する。
【００２９】
図12は、マルチキャリア無線システム120中、セカンダリーキャリアを用いた快速同期化のBBEハンドオーバー工程を示す図である。マルチキャリア無線システム120は、サービング基地局S-BS121、ターゲット基地局T-BS122、及び、移動局MS123からなる。MS123は、RF#1をプライマリーキャリアとして、RF#2をセカンダリーキャリアとしてサポートする。図12で示されるように、ハンドオーバー操作期間中、MS123は、セカンダリーキャリアを用いて、T-BS122と、DL同期化を実行し、DL/ULパラメータを得て、ネットワーク再エントリーが実行される前、S-BS121から全キャリアを切断する。全部、或いは、一部のT-BS122のUL/DLパラメータが、MS123のセカンダリーキャリアを用いて、T-BS122との同期化プロセスにより得られる場合、MS123は、これらの得られた情報を使用して、T-BS122のネットワーク再エントリーに用いることができる。これにより、ハンドオーバー中断時間が減少する。
【００３０】
図13Aは、マルチキャリア無線システム120中、BBEハンドオーバー工程の一具体例の更に詳細なメッセージシーケンスチャートである。マルチキャリアハンドオーバー操作は、MS123により、ハンドオーバー要求メッセージをサービング基地局S-BS121に送ることにより起動されるか、或いは、サービング基地局S-BS121により、ハンドオーバー命令をMS123に送ることにより起動される。ハンドオーバー命令受信後、MS123は、セカンダリーキャリアを用いて、ターゲット基地局T-BS122と同期化工程の実行を開始する。同期化工程は、ダウンリンク物理層同期化の実行、ネットワーク再エントリー関連システムパラメータの取得、及び、アップリンク電力/タイミング/周波数調整の測距の実行を含む。同期化工程完成後、MS123は、ハンドオーバー指示をS-BS121に伝送する。その後、MS123は、S-BS121から、全キャリアを切断し、セカンダリーキャリアを用いて、T-BS122と、ネットワーク再エントリー工程の実行を開始する。ネットワーク再エントリー後、セカンダリーキャリア(carrier#2)は新しいプライマリーキャリアになり、新しいデータ経路は、MS123とT-BS122間で構築される。
【００３１】
図13Bは、マルチキャリア無線システム120中、BBEハンドオーバー工程の別の具体例の更に詳細なメッセージシーケンスチャートである。ハンドオーバー工程は図13Aと類似している。しかし、セカンダリーキャリアから得られたDL/UL物理層パラメータは、プライマリーキャリアに提供され、ネットワーク再エントリー時に使用され、ネットワーク再エントリーは、プライマリーキャリアを用いて実行される。よって、元のプライマリーキャリアは、新しいデータ経路の新しいプライマリーキャリアとして残る。
【００３２】
図14は、2-2キャリアBBEハンドオーバー工程のメッセージシーケンスチャートである。2-2キャリアハンドオーバー状況下で、移動局(MS)は、プライマリーキャリア(carrier#1)とセカンダリーキャリア(carrier#2)により、サービング基地局(S-BS)と通信し、2-2キャリアハンドオーバー操作完成後、両サービングキャリアは、ターゲット基地局(T-BS)の二ターゲットキャリアにハンドオーバーする。MS-初期化ハンドオーバーに対し、MSとS-BSは、プライマリーキャリアにより、ハンドオーバー要求と命令メッセージを交換する。BS-初期化ハンドオーバーに対し、MSは、S-BSから、ハンドオーバー命令を受信する。マルチキャリアハンドオーバーが関係しているので、後端(バックエンド、backend)から、S-BSは、T-BSに、マルチキャリアのハンドオーバーを通知し、T-BSから、ハンドオーバー応答を受信する。その後、S-BSは、ターゲットキャリア指定と配置の情報をMSに伝送する。S-BSから全接続を切断後、MSは、ターゲットプライマリーキャリア上で、ハンドオーバー測距(即ち、UL同期化)を実行する。同期化状態に基づいて、ターゲットセカンダリーキャリア上で、ハンドオーバー測距が実行されるか、或いは、飛ばす。その後、MSは、ターゲットプライマリーキャリア上で、ネットワーク再エントリーを実行する。これにより、新しい接続が、ターゲットプライマリーキャリアとターゲットセカンダリーキャリア両方上で、同時に構築される。
【００３３】
図15は、N-NキャリアBBEハンドオーバー工程のメッセージシーケンスチャートである。N-Nキャリアハンドオーバー状況下で、移動局(MS)は、N個のマルチキャリア(carrier#1-#N)により、サービング基地局(S-BS)と通信し、N-Nキャリアハンドオーバー操作完了後、全N個のサービングキャリアは、ターゲット基地局(T-BS)のN個のターゲットキャリアにハンドオーバーされる。N-NキャリアBBEハンドオーバー工程は、図14の2-2キャリアBBEハンドオーバーと類似している。注意すべきことは、ターゲットプライマリーキャリアの測距は、存在するS-BSとの全接続を切断後に実行されなければならず、他のターゲットセカンダリーキャリアへの追加測距が飛ばされることである。更に、ターゲットプライマリーキャリア上で、ネットワーク再エントリーが実行された後、ターゲットプライマリーキャリアと別のターゲットセカンダリーキャリア上の全部の新しい接続が同時に構築される。
【００３４】
図16は、マルチキャリア無線システム160中、無効の間隔によるEBBハンドオーバー工程を示す図である。マルチキャリア無線システム160は、サービング基地局S-BS161、ターゲット基地局T-BS162、及び、移動局MS163からなる。MS163は、RF#1をプライマリーキャリアとして、RF#2をセカンダリーキャリアとしてサポートする。図16で示されるように、ハンドオーバー操作中、MS163は、S-BS161に、無効の間隔を要求し、その後、ネットワーク再エントリーを実行する。ネットワーク再エントリーは、要求された無効の間隔で実行されるので、MS163とS-BS161間に存在する接続は、新しいプライマリーキャリアがT-BS162と構築されるまで維持される。
【００３５】
図17Aは、マルチキャリア無線システム160中、無効の間隔によるEBBハンドオーバー工程の一具体例の更に詳細なメッセージシーケンスチャートである。ハンドオーバー準備段階中、MS163とS-BS161間で、各無効の間隔の長さが協議される。図17Aの例で、所定間隔(N個のフレーム)中、MS163は、セカンダリーキャリア上で、T-BS162と、ネットワーク再エントリー工程を実行し、プライマリーキャリア上で、S-BS161との通常の通信が維持される。セカンダリーキャリア上で、T-BS162との新しいプライマリーキャリアが構築された後、MS163は、即時に、プライマリーキャリーとS-BS161を切断する。切断時間の期限切れ、或いは、T-BS162からハンドオーバー完成メッセージを受信する（いずれか早いほう）時、S-BS161は、全DL/ULデータ伝送とソース割り当てを停止する。別の例(図17Aで示されない)で、所定間隔中、プライマリーキャリア上でネットワーク再エントリーが実行され、ネットワーク再エントリー完成後、プライマリーキャリアは、新しいプライマリーキャリアとして残される。
【００３６】
図17Bは、無効の間隔によるEBBハンドオーバー工程の別の具体例のシーケンスチャートである。図17Bの例中、MS173は単一キャリア移動局で、一つのラジオ周波数キャリアだけをサポートする。よって、S-BS171との通常の通信が維持される間、移動局は、所定の間隔で、同じキャリアを用いて、S-BS172と、ネットワーク再エントリーを実行する。
【００３７】
図18は、一態様によるマルチキャリアEBBハンドオーバー操作の方法のフローチャートである。マルチラジオ周波数キャリアを用いたEBBハンドオーバー工程中、マルチキャリア移動局は、まず、プライマリーキャリアにより、サービングBSから、ハンドオーバー命令を受信する(ステップ181)。その後、移動局は、プライマリーキャリア、或いは、セカンダリーキャリアを用いて、ターゲットBSと、ネットワーク再エントリーを実行する(ステップ182)。ネットワーク再エントリー完成後、移動局は、ターゲットBSと、新しいプライマリーキャリアを構築する(ステップ183)。最後に、移動局は、サービングBSから、元のプライマリーキャリアを切断する(ステップ184)。
【００３８】
図19は、マルチキャリア無線システム190中、マルチラジオ周波数キャリアを用いたEBBハンドオーバー工程を示す図である。マルチキャリア無線システム190は、サービング基地局S-BS191、ターゲット基地局T-BS192、及び、移動局MS193からなる。MS193は、RF#1をプライマリーキャリアとして、RF#2をセカンダリーキャリアとしてサポートする。図19で示されるように、ハンドオーバー操作中、MS193は、まず、キャリア#1、或いは、キャリア#2を用いて、ネットワーク再エントリーを実行し、その後、T-BS192と新しいプライマリーキャリアを構築する。MS193は、ネットワーク再エントリー完成後、S-BS191から、プライマリーキャリアを切断する。二種のマルチキャリアEBBハンドオーバーがあり、インターFAハンドオーバーとイントラFA EBB ハンドオーバーで、各ハンドオーバー操作は以下で詳述される。
【００３９】
図20Aは、マルチキャリア無線システム190中、インターFA EBB ハンドオーバー工程の更に詳細なメッセージシーケンスチャートである。インターFA EBB ハンドオーバー中、ネットワーク再エントリー後、プライマリーキャリア周波数は変化する。図20Aで示されるように、MS193は、プライマリーキャリア(carrier#1)により、S-BS191から、ハンドオーバー命令を受信する。その後、MS193は、セカンダリーキャリア(carrier#2)を用いて、T-BS192と、ネットワーク再エントリーの実行を開始し、元のプライマリーキャリア(carrier#1)上で、S-BS191との接続が維持される。ネットワーク再エントリー後、T-BS192との新しいプライマリーキャリアデータ経路が構築され、セカンダリーキャリア(carrier#2)は、新しいプライマリーキャリアになる。切断時間の期限切れ、或いは、T-BS192からのハンドオーバー完成メッセージ受信後（いずれか早いほう）、S-BS191は、全DL/ULデータ伝送とリソース割り当てを停止する。
【００４０】
図20Bは、マルチキャリア無線システム190中、イントラFA EBB ハンドオーバー工程の更に詳細なメッセージシーケンスチャートである。イントラFA EBB ハンドオーバー中、ネットワーク再エントリー後、プライマリーキャリア周波数は維持される。図20Bで示されるように、MS193は、プライマリーキャリア(carrier#1)により、S-BS191から、ハンドオーバー命令を受信する。ネットワーク再エントリー実行前、MS193は、プライマリーキャリアをセカンダリーキャリアに切り換える。その後、MS193は、元のプライマリーキャリア(carrier#1)を用いて、T-BS192と、ネットワーク再エントリーの実行を開始し、元のセカンダリーキャリア(carrier#2)上で、S-BS191との接続を維持する。ネットワーク再エントリー実行後、T-BS192との新しいプライマリーキャリアデータ経路が構築され、元のプライマリーキャリア(carrier#1)は新しいプライマリーキャリアとして残る。図20A中のインターFAハンドオーバーと同じように、切断時間期限切れ、或いは、T-BS192からのハンドオーバー完成メッセージ受信後（いずれか早いほう）、S-BS191は、全DL/ULデータ伝送とリソース割り当てを停止する。
【００４１】
図21は、2-2キャリアイントラFA EBB ハンドオーバー工程のメッセージシーケンスチャートである。2-2キャリアハンドオーバー状況下で、移動局(MS)は、プライマリーキャリア(carrier#1)とセカンダリーキャリア(carrier#2)により、サービング基地局(S-BS)と通信し、2-2キャリアハンドオーバー操作完了後、両サービングキャリアは、二ターゲットキャリアにハンドオーバーされる。MS-初期化ハンドオーバー中、MSとS-BSは、プライマリーキャリアにより、ハンドオーバー要求と命令メッセージを交換する。BS-初期化ハンドオーバー中、MSは、S-BSから、ハンドオーバー命令を受信する。マルチキャリアハンドオーバーが関係するので、S-BSは、後端(バックエンド、backend)により、T-BSに、マルチキャリアを通知し、T-BSから、ハンドオーバー応答を受信する。その後、S-BSは、ターゲットキャリア指定と配置の情報をMSに伝送する。MSは、一キャリア上で、T-BSと、ハンドオーバー測距(即ち、UL同期化)を実行し、別のキャリア上で、S-BSとのデータ接続を維持する。プライマリーキャリアがハンドオーバー測距に用いられる場合、このような測距の前に、プライマリーキャリア切り換えが選択的に導入される。その後、MSは、T-BSと、残りのネットワーク再エントリー工程(即ち、鍵交換、能力協議)を実行し、新しい接続を、ターゲットプライマリーキャリアに構築する。ターゲットセカンダリーキャリアへのハンドオーバー測距は、同期化状態に基づいて、選択的に実行されるか、飛ばされ、ターゲットセカンダリーキャリアとの新しい接続が構築される。イントラFAハンドオーバー後、元のプライマリーキャリアが新しいプライマリーキャリアとして残る。
【００４２】
図22は、2-2キャリアインターFA EBB ハンドオーバー工程のメッセージシーケンスチャートを示す図である。インターFA EBB ハンドオーバー工程は、図21のイントラFA EBB ハンドオーバー工程に非常に似ている。異なるのは、セカンダリーキャリア上で、T-BSと、ハンドオーバー測距が実行される間、MSは、プライマリーキャリア上で、S-BSとの接続が維持され、これにより、プライマリーキャリア切り換えが不要なことである。インターFAハンドオーバー後、セカンダリーキャリアは、新しいプライマリーキャリアになる。
【００４３】
図23は、N-NキャリアイントラFA EBB ハンドオーバー工程のメッセージシーケンスチャートである。N-Nキャリアハンドオーバー状況下で、移動局(MS)は、N個のマルチキャリア(carrier#1-#N)上で、サービング基地局(S-BS)と通信し、N-Nキャリアハンドオーバー操作完成後、全N個のサービングキャリアは、N個のターゲットキャリアにハンドオーバーされる。N-NキャリアイントラFA EBB ハンドオーバー工程は、図21の2-2キャリアイントラFA EBB ハンドオーバーに類似し、ターゲットプライマリーキャリア構築後、サービングBSに接続される全キャリアは切断される。
【００４４】
図24は、N-NキャリアインターFA EBB ハンドオーバー工程のメッセージシーケンスチャートである。N-NキャリアインターFA EBB ハンドオーバー工程は、図22の2-2キャリアインターFA EBB ハンドオーバーに類似し、ターゲットプライマリーキャリア構築後、サービングBSに接続される全キャリアは切断される。
【００４５】
図25-27は、マルチキャリア無線システム中、イントラBSハンドオーバー(時に、プライマリーキャリア変換と称される)工程の異なる具体例のメッセージシーケンスチャートである。イントラBSハンドオーバー操作を開始するため、イントラBSハンドオーバー要求と命令メッセージ交換により、MS要求（或いは、サービングBSによりMSに要求される）は、プライマリーキャリアを同じサービングBSの別のキャリアに再配置する。イントラBSハンドオーバー後、プライマリーキャリアは、同じサービングBS中、一キャリア周波数から別のキャリア周波数に切り換える。
【００４６】
図25の例中、MS251は単一キャリア移動局である。イントラBSハンドオーバー要求(MS-初期化ハンドオーバー)、及び、S-BS252との命令メッセージ交換後、MS251は、まず、古いプライマリーキャリアを切断し、DL/UL同期化を実行し、その後、新しいプライマリーキャリアを構築する。図26の例中、イントラBSハンドオーバー前に、プライマリーキャリア(carrier#1)とセカンダリーキャリア(carrier#2)が、MS261とS-BS262間に構築される。イントラBSハンドオーバー要求(MS-初期化ハンドオーバー)、及び、S-BS262との命令メッセージ交換後、プライマリーキャリアとセカンダリーキャリアを交換するだけで(carrier#2は新しいプライマリーキャリアで、carrier#1は新しいセカンダリーキャリア)、何のDL/UL同期化の実行も必要としない。図27の例中、MS271は、二ラジオ周波数キャリア(carrier#1とcarrier#2)をサポートするが、S-BS272との間に、プライマリーキャリア(carrier#1)だけが構築される。イントラBSハンドオーバー要求(MS-初期化ハンドオーバー)と命令メッセージ交換後、MS271は、セカンダリーキャリアを用いて、DL/UL同期化を実行し、元のプライマリーキャリアを切断する必要がない。新しいプライマリーキャリア(carrier#2)が構築された後、元のプライマリーキャリア(carrier#1)が、新しいセカンダリーキャリアに構成されるか、或いは、即時に切断する。
【００４７】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
2011524133.tif 000003
【図２】
2011524133.tif 000004
【図３】
2011524133.tif 000005
【図４】
2011524133.tif 000006
【図５】
2011524133.tif 000007
【図６】
2011524133.tif 000008
【図７】
2011524133.tif 000009
【図８】
2011524133.tif 000010
【図９】
2011524133.tif 000011
【図１０】
2011524133.tif 000012
【図１１】
2011524133.tif 000013
【図１２】
2011524133.tif 000014
【図１３Ａ】
2011524133.tif 000015
【図１３Ｂ】
2011524133.tif 000016
【図１４】
2011524133.tif 000017
【図１５】
2011524133.tif 000018
【図１６】
2011524133.tif 000019
【図１７Ａ】
2011524133.tif 000020
【図１７Ｂ】
2011524133.tif 000021
【図１８】
2011524133.tif 000022
【図１９】
2011524133.tif 000023
【図２０Ａ】
2011524133.tif 000024
【図２０Ｂ】
2011524133.tif 000025
【図２１】
2011524133.tif 000026
【図２２】
2011524133.tif 000027
【図２３】
2011524133.tif 000028
【図２４】
2011524133.tif 000029
【図２５】
2011524133.tif 000030
【図２６】
2011524133.tif 000031
【図２７】
2011524133.tif 000032
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
マルチキャリア無線通信システム中、隣接する基地局をスキャンする移動局の操作方法であって、
（a）スキャニングに用いられる一つ、或いは、それ以上のラジオ周波数キャリアを決定するステップと、
（b）前記の決定された一つ、或いは、それ以上のラジオ周波数キャリアにより、スキャンを実行するステップと、
からなることを特徴とする方法。
【請求項２】
前記移動局は、プライマリーラジオ周波数キャリアにより、サービング基地局と通信することを特徴とする請求項１に記載の方法。
【請求項３】
前記一つ、或いは、それ以上の決定されたラジオ周波数キャリアは、前記プライマリーラジオ周波数キャリアからなり、前記移動局は、セカンダリーラジオ周波数キャリア上で、前記サービング基地局とのデータ通信を維持することを特徴とする請求項２に記載の方法。
【請求項４】
前記一つ、或いは、それ以上の決定されたラジオ周波数キャリアは、セカンダリーラジオ周波数キャリアからなり、前記移動局は、前記プライマリーラジオ周波数キャリア上で、前記サービング基地局とのデータ通信を維持することを特徴とする請求項２に記載の方法。
【請求項５】
前記一つ、或いは、それ以上の決定されたラジオ周波数キャリアは、前記プライマリーラジオ周波数キャリア、及び、一つ、或いは、それ以上のセカンダリーラジオ周波数キャリアからなることを特徴とする請求項２に記載の方法。
【請求項６】
前記スキャニングは、隣接する基地局、或いは、前記サービング基地局の別のラジオ周波数キャリアの測定を含むことを特徴とする請求項１に記載の方法。
【請求項７】
前記測定は、無線信号強度（radio signal strength RSS)、搬送波対干渉波雑音比（carrier-to-interference noise ratio、CINR) 、及び、ラウンドトリップ遅延（round trip delay、RTD)の測定を含むことを特徴とする請求項６に記載の方法。
【請求項８】
前記スキャニングは、隣接する基地局、或いは、前記サービング基地局の全面に配置されたラジオ周波数キャリアの測定を含むことを特徴とする請求項１に記載の方法。
【請求項９】
マルチキャリア無線通信システム中、サービング基地局からターゲット基地局にハンドオーバーする移動局の操作方法であって、
（a）元のプライマリーラジオ周波数キャリアにより、前記サービング基地局から、ハンドオーバー命令を受信するステップと、
（b）セカンダリーキャリアを用いて、前記ターゲット基地局と、同期化工程を実行するステップと、
（c）前記同期化工程後、前記サービング基地局から、全キャリア上で、全接続を切断するステップと、
（d）ネットワーク再エントリーを実行し、これにより、新しいプライマリーキャリアにより、前記ターゲット基地局と、データ経路を構築するステップと、
からなることを特徴とする方法。
【請求項１０】
前記ステップ（d）の前記ネットワーク再エントリーは、前記セカンダリーキャリアを用いて実行され、前記セカンダリーキャリアは、前記新しいプライマリーキャリアになることを特徴とする請求項９に記載の方法。
【請求項１１】
前記同期化工程は、
ダウンリンク物理層同期化を実行するステップと、
ネットワーク再エントリー関連パラメータを得るステップと、
ダウンリンク、或いは、アップリンク電力/タイミング/周波数調整の測距を実行するステップと、
からなることを特徴とする請求項９に記載の方法。
【請求項１２】
前記ステップ（d）の前記ネットワーク再エントリーは、前記元のプライマリーキャリアを用いて実行され、前記セカンダリーキャリアの前記ダウンリンク、或いは、アップリンク調整は、前記ネットワーク再エントリーの前記元のプライマリーキャリアにより再利用され、前記元のプライマリーキャリアは、前記新しいプライマリーキャリアになることを特徴とする請求項１１に記載の方法。
【請求項１３】
マルチキャリア無線通信システム中、サービング基地局からターゲット基地局にハンドオーバーする移動局の操作方法であって、
（a）プライマリーキャリア、及び、一つ、或いは、それ以上のセカンダリーキャリアにより、前記サービング基地局と通信するステップと、
（b）前記プライマリーキャリアにより、前記サービング基地局から、ハンドオーバー命令を受信し、前記ハンドオーバー命令は、前記ターゲット基地局キャリア指定と配置情報を含むステップと、
（c）前記サービング基地局から、全接続を切断後、ターゲットプライマリーキャリア上で、前記ターゲット基地局と測距を実行するステップと、
（d）前記ターゲットプライマリーキャリア上で、ネットワーク再エントリーを実行し、これにより、前記ターゲットプライマリーキャリア、及び、一つ、或いは、それ以上のターゲットセカンダリーキャリア上で、同時に、接続を構築するステップと、
からなることを特徴とする請求項に記載の方法。
【請求項１４】
更に、
前記一つ、或いは、それ以上のターゲットセカンダリーキャリア上で、前記ターゲット基地局と測距を実行するステップを含むことを特徴とする請求項１３に記載の方法。
【請求項１５】
マルチキャリア無線通信システム中、サービング基地局からターゲット基地局にハンドオーバーする移動局の操作方法であって、
（a）プライマリーキャリアにより、前記サービング基地局からハンドオーバー命令を受信するステップと、
（b）前記プライマリーキャリア上で、前記サービング基地局との通信が維持される間、セカンダリーキャリアを用いて、前記ターゲット基地局と、測距、及び、ネットワーク再エントリーを実行するステップと、
（c）前記ターゲット基地局と、新しいプライマリーキャリアデータ経路を構築し、前記セカンダリーキャリアは、前記新しいプライマリーキャリアとなるステップと、
（d）ネットワーク再エントリー完成後、前記サービング基地局から、前記キャリア上の全接続を切断するステップと、
からなることを特徴とする方法。
【請求項１６】
前記ハンドオーバー命令は、前記ターゲット基地局キャリア指定と配置情報を含み、前記ステップ（b）の前記測距と前記ネットワーク再エントリーは、ターゲットプライマリーキャリア上で実行され、前記新しいプライマリーキャリアデータ経路が前記ターゲットプライマリーキャリアに構築され、第二データ経路はターゲットセカンダリーキャリアに構築されることを特徴とする請求項１５に記載の方法。
【請求項１７】
更に、
前記ターゲットセカンダリーキャリア上で、前記ターゲット基地局と測距を実行するステップを含むことを特徴とする請求項１６に記載の方法。
【請求項１８】
マルチキャリア無線通信システム中、サービング基地局からターゲット基地局にハンドオーバーする移動局の操作方法であって、
（a）プライマリーキャリアにより、前記サービング基地局から、ハンドオーバー命令を受信するステップと、
（b）前記プライマリーキャリアを別のキャリアに切り換えるステップと、
（c）前記セカンダリーキャリアにより、前記サービング基地局との通信が維持される間、前記プライマリーキャリアを用いて、前記ターゲット基地局と、測距、及び、ネットワーク再エントリーを実行するステップと、
（d）前記ターゲット基地局と、新しいプライマリーキャリアデータ経路を構築し、前記プライマリーキャリアは、前記新しいプライマリーキャリアとして残るステップと、
（e）ネットワーク再エントリーが完成後、前記サービング基地局から、全キャリア上の全接続を切断するステップと、
からなることを特徴とする方法。
【請求項１９】
前記ハンドオーバー命令は、前記ターゲット基地局キャリア指定と配置情報を含み、前記ステップ（b）の前記測距と前記ネットワーク再エントリーは、ターゲットプライマリーキャリア上で実行され、前記新しいプライマリーキャリアデータ経路が、前記ターゲットプライマリーキャリアに構築され、第二データ経路は、ターゲットセカンダリーキャリアに構築されることを特徴とする請求項１８に記載の方法。
【請求項２０】
マルチキャリア無線通信システム中、サービング基地局からターゲット基地局にハンドオーバーする移動局の操作方法であって、
（a）無効の間隔のハンドオーバー要求を、前記サービング基地局に伝送するステップと、
（b）前記要求された無効の間隔で、前記ターゲット基地局と、ネットワーク再エントリーを実行するステップと、
（c）前記ターゲット基地局と、新しいプライマリーキャリアデータ経路を構築するステップと、
（d）前記新しい接続が構築されるまで、前記サービング基地局との通信を維持するステップと、
からなることを特徴とする方法。
【請求項２１】
前記ハンドオーバー準備段階で、前記無効の間隔の期間は、前記サービング基地局と協議されることを特徴とする請求項２０に記載の方法。
【請求項２２】
前記ネットワーク再エントリーは、セカンダリーキャリアを用いて実行され、前記セカンダリーキャリアは、前記新しいプライマリーキャリアになることを特徴とする請求項２０に記載の方法。
【請求項２３】
前記ネットワーク再エントリーは、前記プライマリーキャリアを用いて実行され、前記プライマリーキャリアは、前記新しいプライマリーキャリアとして残ることを特徴とする請求項２０に記載の方法。
【請求項２４】
マルチキャリア無線通信システム中、サービング基地局内で、一キャリアから別のキャリアにハンドオーバーする移動局の操作方法であって、本方法は、
（a）元のプライマリーキャリアにより、前記サービング基地局と通信するステップと、
（b）前記サービング基地局から、イントラ-BSハンドオーバー命令を受信するステップと、
（c）セカンダリーキャリアにより、新しいプライマリーキャリアデータ経路を構築するステップと、
からなることを特徴とする方法。
【請求項２５】
前記セカンダリーキャリアを用いて、測距を実行後、前記新しいプライマリーキャリアが構築されることを特徴とする請求項２４に記載の方法。
【請求項２６】
前記ハンドオーバー工程前に、前記セカンダリーキャリアが存在し、前記新しいプライマリーキャリアは、測距を実行せずに、前記セカンダリーキャリアを用いて構築されることを特徴とする請求項２４に記載の方法。
【請求項２７】
前記新しいプライマリーキャリアが構築された後、前記元のプライマリーキャリアは、切断されるか、或いは、再配置されることを特徴とする請求項２４に記載の方法。
【手続補正２】
【補正対象書類名】明細書
【補正対象項目名】００２８
【補正方法】変更
【補正の内容】
【００２８】
図11は、一態様による快速同期化のマルチキャリアBBEハンドオーバー操作の方法のフローチャートである。ステップ111中、マルチキャリア移動局(MS)は、プライマリーキャリアにより、サービングBSから、ハンドオーバー命令を受信する。その後、ステップ112で、MSは、セカンダリーキャリアを用いて、ターゲットBSと、ダウンリンク(DL)と選択的アップリンク(UL)同期化を実行する。同期化終了後、MSは、選択的ハンドオーバー指示をサービングBSに伝送し、サービングBSから全キャリアを切断する(ステップ113)。最後に、MSは、プライマリーキャリア、或いは、セカンダリーキャリアを用いて、ターゲットBSと、ネットワーク再エントリーを実行し、ターゲットBSと新しいデータ経路を構築する（ステップ114）。
【手続補正３】
【補正対象書類名】明細書
【補正対象項目名】００３５
【補正方法】変更
【補正の内容】
【００３５】
図17Aは、マルチキャリア無線システム160中、無効の間隔によるEBBハンドオーバー工程の一具体例の更に詳細なメッセージシーケンスチャートである。ハンドオーバー準備段階中、MS163とS-BS161間で、各無効の間隔の長さが協議される。図17Aの例で、所定間隔(N個のフレーム)中、MS163は、セカンダリーキャリア上で、T-BS162と、ネットワーク再エントリー工程を実行し、プライマリーキャリア上で、S-BS161との通常な通信が維持される。セカンダリーキャリア上で、T-BS162との新しいプライマリーキャリアが構築された後、MS163は、即時に、プライマリーキャリアとS-BS161を切断する。切断時間の期限切れ、或いは、T-BS162からハンドオーバー完成メッセージを受信する（いずれか早いほう）時、S-BS161は、全DL/ULデータ伝送とソース割り当てを停止する。別の例(図17Aで示されない)で、所定間隔中、プライマリーキャリア上でネットワーク再エントリーが実行され、ネットワーク再エントリー完成後、プライマリーキャリアは、新しいプライマリーキャリアとして残される。
【国際調査報告】
2011524133.tif 000033
2011524133.tif 000034
2011524133.tif 000035